(57)【要約】【課題】部品点数を削減することが可能な圧解除機構を備えた定着装置を提供する。【解決手段】加圧ローラ８の加圧を解除するための圧解除機構を含む定着装置３において、カム１５は、クランク板１１と係合する鉤状先端部１５ｄを有する係合部１５ｃを含み、クランク板１１は、カム１５の係合部１５ｃと係合するための係合穴１１ｃを含み、クランク板１１の係合穴１１ｃは、カム１５の係合部１５ｃに対して接触しながらカム１５の係合部１５ｃの移動方向と交差する方向に移動するカム接触部１１ｄと、カム１５の係合部１５ｃと接触しないように逃がされた逃がし部１１ｅおよび１１ｆとを有し、カム１５の係合部１５ｃのカム接触部１１ｄと接触する部分は、丸みを有する断面形状に形成されている。【選択図】図２
0003097874.tif 000002
【実用新案登録請求の範囲】
【請求項１】
記録紙に転写された画像を熱により定着するための定着ローラと、前記定着ローラに対して前記記録紙を加圧するための加圧ローラと、前記加圧ローラの前記定着ローラに対する加圧を解除するための圧解除機構とを備え、前記圧解除機構は、前記加圧ローラを支持するとともに、所定の支点の回りに回動可能なクランク板と、前記加圧ローラの前記定着ローラに対する加圧を解除しない方向に前記クランク板を付勢するバネ部材と、前記バネ部材の付勢力に抗して前記クランク板を回動するためのカムと、前記カムを回動させるための電磁弁とを含む定着装置において、
前記カムは、所定の支点回りに回動するとともに、前記クランク板と係合する鉤状の先端部を有する係合部と、前記電磁弁の直線運動部が当接される電磁弁当接部とを含み、
前記クランク板は、前記カムの係合部と係合するための係合穴を含み、
前記クランク板の係合穴は、前記カムの係合部の移動方向の一方側に設けられ、前記カムの係合部に対して接触しながら前記カムの係合部の移動方向と交差する方向に移動するカム接触部と、前記カムの係合部の移動方向の他方側および前記カムの係合部の移動方向と交差する方向側に設けられ、前記カムの係合部と接触しないように逃がされた逃がし部とを有し、
前記カムの係合部の前記クランク板の係合穴のカム接触部と接触する部分は、丸みを有する断面形状に形成されている、定着装置。
【請求項２】
記録紙に転写された画像を熱により定着するための定着ローラと、
前記定着ローラに対して前記記録紙を加圧するための加圧ローラと、
前記加圧ローラの前記定着ローラに対する加圧を解除するための圧解除機構とを備え、
前記圧解除機構は、
前記加圧ローラを支持するとともに、係合穴を有し、所定の支点の回りに回動可能なクランク板と、
前記クランク板の係合穴と係合する係合部を有するとともに、所定の支点回りに回動するカムとを含む、定着装置。
【請求項３】
前記カムの係合部は、鉤状の先端部を有する、請求項２に記載の定着装置。
【請求項４】
前記クランク板の係合穴は、前記カムの係合部の移動方向の一方側に設けられ、前記カムの係合部に対して接触しながら前記カムの係合部の移動方向と交差する方向に移動するカム接触部と、前記カムの係合部の移動方向の他方側および前記カムの係合部の移動方向と交差する方向側に設けられ、前記カムの係合部と接触しないように逃がされた逃がし部とを有する、請求項２または３に記載の定着装置。
【請求項５】
前記カムの係合部の前記クランク板の係合穴のカム接触部と接触する部分は、丸みを有する断面形状に形成されている、請求項２〜４のいずれか１項に記載の定着装置。
【請求項６】
請求項１〜５のいずれか１項に記載の定着装置を含む画像形成装置。
【考案の詳細な説明】
【０００１】
【考案の属する技術分野】
この考案は、定着装置およびそれを含む画像形成装置に関し、特に、加圧ローラの定着ローラに対する加圧を解除するための圧解除機構を備えた定着装置およびそのような定着装置を含む画像形成装置に関する。
【０００２】
【従来の技術】
従来、加圧ローラの定着ローラに対する加圧を解除するための圧解除機構を備えた定着装置を含む画像形成装置が知られている（たとえば、特許文献１参照）。
【０００３】
上記特許文献１には、記録紙に転写されたトナーによる画像を加熱して定着させるためのヒータとは別に、加圧ローラのトナー汚れに起因する記録紙の斑点状汚れを防止するためのヒータユニットと、リンク棒と、加圧ローラの圧解除機構とを含む従来の一例による画像形成装置が開示されている。上記特許文献１におけるリンク棒は、ヒータユニットと加圧ローラに対向して配置されるクリーニングユニットとの距離を一定に保つ機能を有する。なお、特許文献１では、圧解除機構の構造は開示（図示）されていない。
【０００４】
図１０は、従来の他の例による加圧ローラの圧解除機構を備えた定着装置を含むレーザプリンタの全体構成を示した斜視図である。図１１は、図１０に示した従来のレーザプリンタの定着装置をＰ方向から見たときの側面図である。　図１０に示すように、従来の圧解除機構を備えた定着装置を含むレーザプリンタでは、記録紙１０１上にトナーによる画像を転写するためのトナーカートリッジ１０２が脱着可能に装着されている。トナーカートリッジ１０２の奥側には、トナーカートリッジ１０２によって転写された記録紙１０１上のトナーによる画像を定着させるための定着装置１０３が設けられている。この定着装置１０３の側部には、定着装置１０３の内部に設けられた定着ローラ１０４（図１１参照）を回転させるためのギア１０５が設けられている。
【０００５】
図１２は、図１１に示した従来の定着装置の圧解除機構を示した側面図である。図１３は、図１２に示した従来の定着装置の圧解除機構の部分上面図である。図１４は、図１２に示した従来の定着装置の圧解除機構を構成するクランク板を示した側面図である。図１５および図１６は、図１２に示した従来の定着装置の圧解除機構を構成するリンク棒の側面図および上面図である。図１７は、図１２に示した従来の定着装置の圧解除機構を構成するカムを示した上面図である。図１８は、図１７に示したカムをＢ方向から見たときの側面図である。まず、図１１〜図１４を参照して、従来の圧解除機構を備えた定着装置の全体構造について説明する。
【０００６】
図１１に示すように、定着装置１０３の入口側には、記録紙１０１を定着ローラ１０４側へ案内するための進入ガイド１０６が設けられている。進入ガイド１０６の給紙方向側には、記録紙１０１を加熱することにより記録紙１０１に転写されたトナーによる画像を定着するための定着ローラ１０４が設けられている。この定着ローラ１０４は、加熱のためのヒータ（図示せず）が内蔵されたアルミニウムなどからなる金属製の管により形成されている。また、定着ローラ１０４の表面には、記録紙１０１が分離されやすいようにテフロンコーティングが施されている。また、定着ローラ１０４の両側には、定着ローラ１０４を回転可能に支持するための２つのベアリング１０７が取り付けられている。
【０００７】
また、定着ローラ１０４の下側には、定着ローラ１０４に対して記録紙１０１を加圧するための加圧ローラ１０８が、定着ローラ１０４に対して所定の押圧力で接触するように設けられている。この加圧ローラ１０８の軸１０９の端部には、図１２および図１３に示すように、加圧ローラ１０８を回転可能に支持するためのベアリング１１０が取り付けられている。このベアリング１１０は、クランク板１１１の凹部１１１ａ（図１４参照）に嵌め込まれたベアリング保持部材１１２によって保持されている。
【０００８】
また、図１１および図１２に示すように、クランク板１１１は、軸１１３を支点として回動可能に取り付けられている。また、クランク板１１１のバネ取り付け部１１１ｂには、引張りバネ１１４が取り付けられている。この引張りバネ１１４は、加圧ローラ１０８が定着ローラ１０４を押圧する方向にクランク板１１１を回動するように付勢されている。
【０００９】
また、図１１に示すように、定着ローラ１０４の給紙方向側には、分離爪１１８が、ねじりコイルバネ１１９の弾性力により定着ローラ１０４の表面に押圧するように配置されている。ねじりコイルバネ１１９の下部には、記録紙１０１を排出方向へ案内するための排出ガイド１２０が取り付けられている。また、排出ガイド１２０の上下には、記録紙１０１を定着装置１０３の外部へ排出するための上下一対の排出ローラ１２１が設けられている。
【００１０】
次に、図１２〜図１８を参照して、従来の定着装置の圧解除機構の詳細構造について説明する。
【００１１】
まず、従来の定着装置における圧解除機構の機能について説明する。従来の定着装置において、加圧ローラ１０８により記録紙１０１に加えられる押圧力によって、記録紙１０１の表面に生じた波打ち部が引き伸ばされる。この場合、記録紙１０１の中央付近から給紙方向に対して左右方向の端部に向かって波打ち部が逃げていくので、記録紙１０１が一枚紙の場合には、記録紙１０１上の波打ちを解消可能である。しかしながら、封筒のような袋状の形状の場合、端部まで逃げた波打ち部が、封筒の折り返し部で折り返して戻ってくるので、加圧ローラ１０８が記録紙１０１上の波打ち部を潰してしまう場合がある。この場合には、封筒に皺が発生するという不都合があった。従来では、このような不都合が発生するのを防止するために、通紙中に一定間隔で加圧ローラ１０８の圧を解除するための圧解除機構が設けられている。
【００１２】
この従来の定着装置の圧解除機構は、図１２に示すように、クランク板１１１、引張りバネ１１４、カム１１５、電磁弁１１６およびリンク棒１２２によって構成されている。
【００１３】
クランク板１１１は、図１４に示すように、凹部１１１ａと、引張りバネ１１４を取り付けるためのバネ取り付け部１１１ｂと、係合穴１１１ｃと、軸１１３とを含む。また、リンク棒１２２は、図１５および図１６に示すように、両側の先端部分をほぼ９０度互いに直交する方向に曲げるようにして形成された端部１２２ａと端部１２２ｂとを含む。また、カム１１５は、図１７および図１８に示すように、カム軸１１５ａと、電磁弁当接部１１５ｂと、係合部１１５ｃとを含む。
【００１４】
また、図１２および図１３に示すように、クランク板１１１の係合穴１１１ｃに、リンク棒１２２の一方の端部１２２ａが係合している。また、リンク棒１２２の他方の端部１２２ｂは、カム１１５の係合穴１１５ｃに係合している。また、カム１１５の電磁弁当接部１１５ｂには、電磁弁１１６の可動先端部１１７が当接している。また、カム１１５は、カム軸１１５ａを支点として回動可能に構成されている。
【００１５】
次に、図１１〜図１３を参照して、従来の定着装置の動作について説明する。まず、トナーによる画像が転写された記録紙１０１が、進入ガイド１０６に案内されて定着ローラ１０４と加圧ローラ１０８との間に挿入される。挿入された記録紙１０１は、約２００℃の温度に加熱された定着ローラ１０４によって加熱されるとともに、加圧ローラ１０８により、定着ローラ１０４の表面に対して加圧される。これにより、記録紙１０１に転写されたトナーによる画像が定着される。そして、トナーによる画像が定着された記録紙１０１は、定着ローラ１０４が搬送方向（反時計回り）に回転することにより、排出側へ送られる。そして、定着ローラ１０４の表面に接触するように設けられた分離爪１１８により、記録紙１０１は定着ローラ１０４の表面から分離される。
【００１６】
そして、従来の定着装置の圧解除機構の動作としては、まず、電磁弁１１６の可動先端部１１７を所定の時間間隔で図１３の矢印Ｃ方向に駆動する。これにより、カム１１５の電磁弁当接部１１５ｂが所定の時間間隔で電磁弁１１６の可動先端部１１７により押圧されるので、カム１１５は、カム軸１１５ａを支点として図１３の矢印Ｄ方向に回動する。そして、カム１１５がＤ方向に回動することにより、カム１１５とクランク板１１１とを連結したリンク棒１２２がクランク板１１１を水平方向（図１３の矢印Ｅ方向）に引張るように動作する。これにより、クランク板１１１は、軸１１３を支点として、引張りバネ１１４の力に抗しながら加圧ローラ１０８の定着ローラ１０４に対する圧解除を行う方向（図１２の矢印Ｆ方向）に回動する。これにより、加圧ローラ１０８の押圧力が所定の時間間隔で解除されるので、加圧ローラ１０８が封筒からなる記録紙１０１の波打ち部を潰すことにより皺が発生するという不都合が防止される。
【００１７】
【特許文献１】
特開２００２−１９６５９９号公報
【００１８】
【考案が解決しようとする課題】
図１１に示した従来の圧解除機構を備えた定着装置では、圧解除機構が、クランク板１１１、引張りバネ１１４、リンク棒１２２、カム１１５および電磁弁１１６の５点の部品により構成されていたため、部品点数および組立工数が多くなるという不都合があった。
【００１９】
また、従来の定着装置では、リンク棒１２２の互いに直交する方向に曲げられた２つの端部１２２ａおよび１２２ｂの曲げ角度がばらつきやすいという不都合があった。これにより、クランク板１１１とリンク棒１２２との係合、および、カム１１５とリンク棒１２２との係合がはずれてリンク棒１２２が脱落するという問題点があった。
【００２０】
この考案は、上記のような課題を解決するためになされたものであり、この考案の１つの目的は、部品点数を削減することが可能な圧解除機構を備えた定着装置およびそれを含む画像形成装置を提供することである。
【００２１】
【課題を解決するための手段および考案の効果】
上記目的を達成するために、この考案の第１の局面による定着装置では、記録紙に転写された画像を熱により定着するための定着ローラと、定着ローラに対して記録紙を加圧するための加圧ローラと、加圧ローラの定着ローラに対する加圧を解除するための圧解除機構とを備え、圧解除機構は、加圧ローラを支持するとともに、所定の支点の回りに回動可能なクランク板と、加圧ローラの定着ローラに対する加圧を解除しない方向にクランク板を付勢するバネ部材と、バネ部材の付勢力に抗してクランク板を回動するためのカムと、カムを回動させるための電磁弁とを含む定着装置において、カムは、所定の支点回りに回動するとともに、クランク板と係合する鉤状の先端部を有する係合部と、電磁弁の直線運動部が当接される電磁弁当接部とを含み、クランク板は、カムの係合部と係合するための係合穴を含み、クランク板の係合穴は、カムの係合部の移動方向の一方側に設けられ、カムの係合部に対して接触しながらカムの係合部の移動方向と交差する方向に移動するカム接触部と、カムの係合部の移動方向の他方側およびカムの係合部の移動方向と交差する方向側に設けられ、カムの係合部と接触しないように逃がされた逃がし部とを有し、カムの係合部のクランク板の係合穴のカム接触部と接触する部分は、丸みを有する断面形状に形成されている。
【００２２】
この考案の第１の局面による定着装置では、上記のように、クランク板にカムの係合部と係合する係合穴を設けることによって、カムの動作を加圧ローラに伝達するためのリンク機構が一枚のクランク板のみにより構成されるので、カムの動作を加圧ローラに伝達するためのリンク機構をクランク板とリンク棒とにより構成する場合と比較して、部品点数を削減することができる。また、カムの動作を加圧ローラに伝達するためのリンク機構をクランク板のみによって構成することができるので、リンク棒が不要となる。これにより、リンク棒がない分、組立工数を削減することができるとともに、リンク棒の両端部の曲げ角度のばらつきに起因する脱落などが発生することもない。
【００２３】
また、第１の局面では、クランク板と係合する係合部の先端部を鉤状に形成することによって、クランク板の係合穴とカムの係合部との係合が解除されるのを防止することができる。
【００２４】
また、第１の局面では、クランク板の係合穴を、カムの係合部に対して接触しながらカムの係合部の移動方向と交差する方向に移動するカム接触部と、カムの係合部の移動方向の他方側およびカムの係合部の移動方向と交差する方向側に設けられ、カムの係合部と接触しないように逃がされた逃がし部とを有するように構成することによって、容易に、カムの移動に伴ってクランク板を移動させることができる。
【００２５】
また、第１の局面では、クランク板の係合穴のカム接触部と接するカムの係合部を、丸みを有する断面形状に形成することによって、クランク板の係合穴とカムの係合部とが摺動しやすくなるので、電磁弁と加圧ローラとのリンク動作を滑らかにすることができる。
【００２６】
この考案の第２の局面による定着装置では、記録紙に転写された画像を熱により定着するための定着ローラと、定着ローラに対して記録紙を加圧するための加圧ローラと、加圧ローラの定着ローラに対する加圧を解除するための圧解除機構とを備え、圧解除機構は、加圧ローラを支持するとともに、係合穴を有し、所定の支点の回りに回動可能なクランク板と、クランク板の係合穴と係合する係合部を有するとともに、所定の支点回りに回動するカムとを含む。
【００２７】
この考案の第２の局面による定着装置では、上記のように、クランク板にカムの係合部と係合する係合穴を設けることによって、カムの動作を加圧ローラに伝達するためのリンク機構が一枚のクランク板のみにより構成されるので、カムの動作を加圧ローラに伝達するためのリンク機構をクランク板とリンク棒とにより構成する場合と比較して、部品点数を削減することができる。また、カムの動作を加圧ローラに伝達するためのリンク機構をクランク板のみによって構成することができるので、リンク棒が不要となる。これにより、リンク棒がない分、組立工数を削減することができるとともに、リンク棒の両端部の曲げ角度のばらつきに起因する脱落などが発生することもない。
【００２８】
上記の第２の局面による定着装置において、好ましくは、カムの係合部は、鉤状の先端部を有する。このように構成すれば、クランク板の係合穴とカムの係合部との係合が解除されるのを防止することができる。
【００２９】
上記の第２の局面による定着装置において、好ましくは、クランク板の係合穴は、カムの係合部の移動方向の一方側に設けられ、カムの係合部に対して接触しながらカムの係合部の移動方向と交差する方向に移動するカム接触部と、カムの係合部の移動方向の他方側およびカムの係合部の移動方向と交差する方向側に設けられ、カムの係合部と接触しないように逃がされた逃がし部とを有する。このように構成すれば、容易に、カムの移動に伴ってクランク板を移動させることができる。
【００３０】
上記の第２の局面による定着装置において、好ましくは、カムの係合部のクランク板の係合穴のカム接触部と接触する部分は、丸みを有する断面形状に形成されている。このように構成すれば、クランク板の係合穴とカムの係合部とが摺動しやすくなるので、電磁弁と加圧ローラとのリンク動作を滑らかにすることができる。
【００３１】
上記第１または第２の局面による定着装置を含む画像形成装置であってもよい。このように構成すれば、定着装置を含む画像形成装置の部品点数および組立工数の削減を図ることができるなどの効果を得ることができる。
【００３２】
【考案の実施の形態】
以下、本考案の実施の形態を図面に基づいて説明する。
【００３３】
図１は、本考案の一実施形態による圧解除機構を備えた定着装置の側面図である。図２は、図１に示した本考案の一実施形態による定着装置の圧解除機構を示した側面図である。図３は、図２に示した本考案の一実施形態による定着装置の圧解除機構の上面図である。図４は、図２に示した圧解除機構のクランク板の係合穴と、カムの係合部との係合部分を示した部分拡大図である。図５は、図２に示した本考案の一実施形態による定着装置の圧解除機構を構成するクランク板を示した側面図である。図６は、図２に示した本考案の一実施形態による定着装置の圧解除機構を構成するカムを示した上面図である。図７は、図６に示したカムをＡ方向から見たときの側面図である。図８は、図２に示した本考案の一実施形態による定着装置の圧解除機構を構成するベアリング保持部材を示した上面図である。図９は、図８に示したベアリング保持部材の側面図である。
【００３４】
図１〜図９を参照して、本考案の一実施形態による圧解除機構を備えた定着装置の構造について説明する。まず、図１に示すように、レーザプリンタに用いられる本実施形態の定着装置３の入口側には、記録紙１を定着ローラ４側へ案内するための進入ガイド６が設けられている。進入ガイド６の給紙方向側には、記録紙１を加熱することにより記録紙１に転写されたトナーによる画像を定着するための定着ローラ４が設けられている。この定着ローラ４は、加熱のためのヒータ（図示せず）が内蔵されたアルミニウムなどからなる金属製の管により形成されている。また、定着ローラ４の表面には、記録紙１が分離されやすいようにテフロンコーティングが施されている。また、定着ローラ４の両側には、定着ローラ４を回転可能に支持するための２つのベアリング７が取り付けられている。
【００３５】
また、定着ローラ４の下側には、定着ローラ４に対して記録紙１を加圧するための加圧ローラ８が、定着ローラ４に対して所定の押圧力で接触するように設けられている。この加圧ローラ８の軸９の端部には、図２および図３に示すように、加圧ローラ８を回転可能に支持するためのベアリング１０が取り付けられている。このベアリング１０は、クランク板１１の凹部１１ａ（図５参照）に嵌め込まれたベアリング保持部材１２によって保持されている。また、ベアリング保持部材１２は、図８および図９に示すように、ベアリング受部１２ａと、溝１２ｂとを含んでいる。
【００３６】
また、図１および図２に示すように、クランク板１１は、軸１３を支点として回動可能に取り付けられている。また、クランク板１１のバネ取り付け部１１ｂには、引張りバネ１４が取り付けられている。この引張りバネ１４は、加圧ローラ８が定着ローラ４を押圧する方向にクランク板１１を回動するように付勢されている。なお、引張りバネ１４は、本考案の「バネ部材」の一例である。
【００３７】
また、図１に示すように、定着ローラ４の給紙方向側には、分離爪１８が、ねじりコイルバネ１９の弾性力により定着ローラ４の表面に押圧されるように配置されている。ねじりコイルバネ１９の下部には、記録紙１を排出方向へ案内するための排出ガイド２０が取り付けられている。また、排出ガイド２０の上下には、記録紙１を定着装置３の外部へ排出するための上下一対の排出ローラ２１が設けられている。
【００３８】
ここで、本実施形態では、定着装置３の圧解除機構は、クランク板１１、引張りバネ１４、カム１５および電磁弁１６によって構成されている。つまり、本実施形態では、従来の定着装置の圧解除機構のリンク棒に相当するものがない。
【００３９】
クランク板１１は、図５に示すように、凹部１１ａと、引張りバネ１４を取り付けるためのバネ取り付け部１１ｂと、係合穴１１ｃと、軸１３とを含んでいる。また、カム１５は、図６および図７に示すように、カム軸１５ａと、電磁弁当接部１５ｂと、丸みを有する小判形の断面形状（図４参照）の係合部１５ｃと、係合部１５ｃの先端部に設けられ、鉤状（Ｌ字状）の形状に形成された鉤状先端部１５ｄとを含む。なお、鉤状先端部１５ｄは、クランク板１１の係合穴１１ｃと、カム１５の係合部１５ｃとの係合が解除されるのを防止する機能を有する。また、カム１５の電磁弁当接部１５ｂには、電磁弁１６の可動先端部１７が当接している。また、カム１５は、カム軸１５ａを支点として回動可能に構成されている。
【００４０】
また、本実施形態では、図１〜図３に示すように、クランク板１１の係合穴１１ｃに、カム１５の係合部１５ｃが直接係合している。ここで、カム１５の係合部１５ｃは、図４に示すように、カム１５の係合部１５ｃの移動方向（図４の矢印Ｇ方向）の一方側に設けられたクランク板１１の係合穴１１ｃのカム接触部１１ｄに接触している。また、クランク板１１の係合穴１１ｃは、カム１５の係合部１５ｃの移動方向の他方側およびカム１５の係合部１５ｃの移動方向と交差（直交）する方向（図４の矢印Ｈ方向）側に、カム１５の係合部１５ｃと接触しないように逃がされた逃がし部１１ｅおよび１１ｆを有している。
【００４１】
次に、図１〜図３を参照して、本実施形態による定着装置の動作について説明する。まず、トナーによる画像が転写された記録紙１が、進入ガイド６に案内されて定着ローラ４と加圧ローラ８との間に挿入される。挿入された記録紙１は、約２００℃の温度に加熱された定着ローラ４によって加熱されるとともに、加圧ローラ８により、定着ローラ４の表面に対して加圧される。これにより、記録紙１に転写されたトナーによる画像が定着される。そして、トナーによる画像が定着された記録紙１は、定着ローラ４が搬送方向に回転することにより、排出側へ送られる。そして、定着ローラ４の表面に接触するように設けられた分離爪１８により、記録紙１は定着ローラ４の表面から分離される。
【００４２】
そして、本実施形態による定着装置の圧解除機構の動作としては、まず、電磁弁１６の可動先端部１７を所定の時間間隔で図３の矢印Ｃ方向に駆動する。これにより、カム１５の電磁弁当接部１５ｂが所定の時間間隔で電磁弁１６の可動先端部１７により押圧されるので、カム１５は、カム軸１１５ａを支点として図３の矢印Ｄ方向に回動する。そして、カム１５がＤ方向に回動することにより、カム１５の係合部１５ｃと係合穴１１ｃとで係合したクランク板１１は水平方向（図３の矢印Ｅ方向）に引張られる。クランク板１１は、軸１３を支点として、引張りバネ１４の力に抗しながら加圧ローラ８の定着ローラ４に対する圧解除を行う方向（図２の矢印Ｆ方向）に回動する。このとき、図４に示すように、クランク板１１は、カム１５の係合部１５ｃとカム接触部１１ｄにおいて接触しながら、図４の矢印Ｈの上方向に動く。
【００４３】
この場合、クランク板１１の係合穴１１ｃには、上下の逃がし部１１ｆおよび左側の逃がし部１１ｅが設けられているので、クランク板１１が矢印Ｈの上方向に移動したとしても、カム１５の係合部１５ｃがクランク板１１の係合穴１１ｃのカム接触部１１ｄ以外の部分に接触することがない。また、カム１５の係合部１５ｃが丸みを有する断面形状に形成されているので、カム１５の係合部１５ｃとクランク板１１のカム接触部１１ｄとの接触しながらの相対移動（摺動）が円滑に行われる。
【００４４】
上記のように、クランク板１１が図２の矢印Ｆ方向に回動することにより、加圧ローラ８の定着ローラ４に対する押圧力が解除される。そして、加圧ローラ８の定着ローラ４に対する押圧力が所定の時間間隔で解除されることにより、加圧ローラ８の押圧力が封筒からなる記録紙１の波打ち部を潰すことに起因して皺が発生するのが防止される。
【００４５】
本実施形態では、上記のように、クランク板１１にカム１５の係合部１５ｃと係合する係合穴１１ｃを設けることによって、カム１５の動作を加圧ローラ８に伝達するためのリンク機構が一枚のクランク板１１のみにより構成されるので、カム１５の動作を加圧ローラ８に伝達するためのリンク機構をクランク板とリンク棒とにより構成する従来の場合と比較して、部品点数を削減することができる。
【００４６】
また、本実施形態では、カム１５の動作を加圧ローラ８に伝達するためのリンク機構をクランク板１１のみによって構成することができるので、リンク棒が不要となる。これにより、リンク棒がない分、組立工数を簡略化することができるとともに、リンク棒の両端部の曲げ角度のばらつきに起因する脱落などが発生することもない。
【００４７】
また、本実施形態では、クランク板１１と係合する係合部１５ｃの先端部を鉤状に形成することによって、クランク板１１の係合穴１１ｃとカムの係合部１５ｃとの係合が解除されるのを防止することができる。
【００４８】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４９】
たとえば、上記実施形態では、レーザプリンタに用いる定着装置に本考案を適用した例を示したが、本考案はこれに限らず、レーザプリンタ以外の画像形成装置の定着装置や画像形成装置以外に用いられる定着装置にも適用可能である。
【００５０】
また、上記実施形態では、カム１５の係合部１５ｃを小判形の断面形状に形成したが、本考案はこれに限らず、小判形以外の丸みを有する断面形状にしてもよい。
【００５１】
また、上記実施形態では、加圧ローラ８の定着ローラ４に対する押圧は、引張りバネ１４の引張り力により行ったが、本考案はこれに限らず、加圧ローラ８の定着ローラ４に対する押圧を別の方法で行ってもよい。
【００５２】
また、上記実施形態では、カム１５の電磁弁当接部１５ｂを、電磁弁１６の可動先端部１７により押すことによってカム１５を回動させたが、本考案はこれに限らず、可動先端部が回動する電磁弁を使用して可動先端部にカムを直接取り付けることによりカムを回動させるようにしてもよい。
【図面の簡単な説明】
【図１】本考案の一実施形態による圧解除機構を備えた定着装置の側面図である。
【図２】図１に示した本考案の一実施形態による定着装置の圧解除機構を示した側面図である。
【図３】図２に示した本考案の一実施形態による定着装置の圧解除機構の上面図である。
【図４】図２に示した圧解除機構のクランク板の係合穴とカムの係合部との係合部分を示した部分拡大図である。
【図５】図２に示した本考案の一実施形態による定着装置の圧解除機構を構成するクランク板を示した側面図である。
【図６】図２に示した本考案の一実施形態による定着装置の圧解除機構を構成するカムを示した上面図である。
【図７】図６に示したカムをＡ方向から見たときの側面図である。
【図８】図２に示した本考案の一実施形態による定着装置の圧解除機構を構成するベアリング保持部材を示した上面図である。
【図９】図８に示したベアリング保持部材の側面図である。
【図１０】従来の圧解除機構を備えた定着装置を含むレーザプリンタの全体構成を示した斜視図である。
【図１１】図１０に示した従来のレーザプリンタの定着装置をＰ方向から見たときの側面図である。
【図１２】図１１に示した従来の定着装置の圧解除機構を示した側面図である。
【図１３】図１２に示した従来の定着装置の圧解除機構の上面図である。
【図１４】図１２に示した従来の定着装置の圧解除機構を構成するクランク板を示した側面図である。
【図１５】図１２に示した従来の定着装置の圧解除機構を構成するリンク棒を示した側面図である。
【図１６】図１５に示したリンク棒の上面図である。
【図１７】図１２に示した従来の定着装置の圧解除機構を構成するカムを示した上面図である。
【図１８】図１７に示したカムをＢ方向から見たときの側面図である。
【符号の説明】
４　定着ローラ
８　加圧ローラ
１１　クランク板
１１ｃ　係合穴
１１ｄ　カム接触部
１１ｅ、１１ｆ　逃がし部
１３　軸
１４　引張りバネ（バネ部材）
１５　カム
１５ａ　カム軸
１５ｂ　電磁弁当接部
１５ｃ　係合部
１５ｄ　鉤状先端部
１６　電磁弁
１７　可動先端部
【図１】
0003097874.tif 000003
【図２】
0003097874.tif 000004
【図３】
0003097874.tif 000005
【図４】
0003097874.tif 000006
【図５】
0003097874.tif 000007
【図６】
0003097874.tif 000008
【図７】
0003097874.tif 000009
【図８】
0003097874.tif 000010
【図９】
0003097874.tif 000011
【図１０】
0003097874.tif 000012
【図１１】
0003097874.tif 000013
【図１２】
0003097874.tif 000014
【図１３】
0003097874.tif 000015
【図１４】
0003097874.tif 000016
【図１５】
0003097874.tif 000017
【図１６】
0003097874.tif 000018
【図１７】
0003097874.tif 000019
【図１８】
0003097874.tif 000020